(57)【要約】      （修正有）【課題】レジ担当者は現金管理者を待たなくても貨幣収納カセットから貨幣を取り出すことができ、よってレジ担当者の作業時間を短縮することができる貨幣処理装置、貨幣処理方法および貨幣処理システムを提供する。【解決手段】貨幣処理装置（例えば、売上入金機２２）は、貨幣収納カセットとともに運搬される情報保持具により保持されている情報を読み取る読取部（例えば、ＩＣリーダ６５０）と、貨幣収納カセットの解錠を行う解錠部（例えば、ロック解錠部６３０）と、機体内に投入された貨幣を収納する収納部と、読取部により読み取られた情報に基づいて解錠部により貨幣収納カセットを解錠させるよう当該解錠部の制御を行う制御部（例えば、制御部５８０）と、を備えている。【選択図】図１０
2015092326.tif 000002
【特許請求の範囲】
【請求項１】
貨幣収納カセットとともに運搬される情報保持具により保持されている情報を読み取る読取部と、
前記貨幣収納カセットの解錠を行う解錠部と、
機体内に投入された貨幣を収納する収納部と、
前記読取部により読み取られた情報に基づいて前記解錠部により前記貨幣収納カセットを解錠させるよう当該解錠部の制御を行う制御部と、
を備えた、貨幣処理装置。
【請求項２】
前記情報保持具により保持される情報は、前記貨幣収納カセットにより前記貨幣処理装置との間で貨幣の授受を行う釣銭機が設置されたレジや店舗を特定可能な個別情報を含み、
前記制御部は、前記読取部により読み取られた情報における前記個別情報に基づいて前記解錠部により前記貨幣収納カセットを解錠させるよう当該解錠部の制御を行うようになっている、請求項１記載の貨幣処理装置。
【請求項３】
前記情報保持具により保持される情報は、前記レジや前記店舗における担当者の識別番号、前記レジや前記店舗における売上金額および前記レジや前記店舗に設置された前記釣銭機の在高のうち少なくとも一つのものを更に含む、請求項２記載の貨幣処理装置。
【請求項４】
前記情報保持具により保持される情報は、前記貨幣収納カセットに収納されている貨幣の金額や金種毎の枚数に係るデータである売上回収データを更に含む、請求項２または３記載の貨幣処理装置。
【請求項５】
前記制御部は、前記読取部により読み取られた情報における売上回収データと、機体内に投入された貨幣の金額や金種毎の枚数に係る入金データとの照合を行う、請求項４記載の貨幣処理装置。
【請求項６】
前記解錠部により解錠が行われた前記貨幣収納カセット内の貨幣は自動的に前記貨幣処理装置の機体内に投入されて前記収納部に収納されるようになっている、請求項１乃至５のいずれか一項に記載の貨幣処理装置。
【請求項７】
前記収納部に収納された貨幣を前記貨幣処理装置の機体外に出金することができるようになっており、
前記情報保持具により保持される情報は、前記貨幣収納カセットにより前記貨幣処理装置との間で貨幣の授受を行う釣銭機の在高を含み、
前記制御部は、前記読取部により読み取られた情報における前記釣銭機の在高に基づいて釣銭準備金としての貨幣を前記収納部から機体外に出金させるようになっている、請求項１乃至６のいずれか一項に記載の貨幣処理装置。
【請求項８】
前記情報保持具は前記貨幣収納カセットに取り付けられている、請求項１乃至７のいずれか一項に記載の貨幣処理装置。
【請求項９】
前記貨幣収納カセットが装填される装填部を更に備え、
前記読取部は前記装填部に設けられている、請求項８記載の貨幣処理装置。
【請求項１０】
貨幣収納カセットとともに運搬される情報保持具により保持されている情報を読み取る工程と、
読み取られた情報に基づいて貨幣処理装置に設けられた解錠部により前記貨幣収納カセットの解錠を行う工程と、
前記貨幣収納カセットから取り出された貨幣を前記貨幣処理装置の機体内に収納する工程と、
を備えた、貨幣処理方法。
【請求項１１】
レジに設けられた釣銭機と、
機体内に投入された貨幣を収納する収納部を有する貨幣処理装置と、
を備え、
貨幣収納カセットにより前記釣銭機と前記貨幣処理装置との間で貨幣の授受が行われるようになっており、
前記貨幣処理装置は、前記貨幣収納カセットとともに運搬される情報保持具により保持されている情報を読み取る読取部と、前記貨幣収納カセットの解錠を行う解錠部と、前記読取部により読み取られた情報に基づいて前記解錠部により前記貨幣収納カセットを解錠させるよう当該解錠部の制御を行う制御部と、を有している、貨幣処理システム。
【請求項１２】
前記情報保持具により保持される情報は、前記釣銭機が設置されたレジや店舗を特定可能な個別情報を含み、前記制御部は、前記読取部により読み取られた情報における前記個別情報に基づいて前記解錠部により前記貨幣収納カセットを解錠させるよう当該解錠部の制御を行うようになっている、請求項１１記載の貨幣処理システム。
【発明の詳細な説明】
【技術分野】
【０００１】
本発明は、紙幣や硬貨等の貨幣の処理を行う貨幣処理装置、貨幣処理方法および貨幣処理システムに関する。
【背景技術】
【０００２】
コンビニエンスストアやスーパーマーケット等の商業施設の店舗において、顧客が立ち入ることができるフロント領域には様々な商品が陳列された商品棚が設置されているとともに、このフロント領域の精算所にはＰＯＳレジスタおよびレジ釣銭機が設置されている。顧客がこのような精算所で精算処理を行う際に、店員は、顧客から受け取った商品の代金としての貨幣をレジ釣銭機に入金したり、釣銭としての貨幣をレジ釣銭機から出金して顧客に返却したりするようになっている。また、このような店舗における顧客の立ち入りが禁止されたバックヤード領域（具体的には、例えば出納室）には、レジ釣銭機から回収された売上金としての貨幣が入金される売上入金機が設置されている。また、このような売上入金機がショッピングセンターに設置される場合には、フロント領域の精算所に設置されたレジ釣銭機から回収された売上金としての貨幣に加えて、ショッピングセンター内の各テナントから持ち込まれた売上金としての貨幣が当該売上入金機に入金されるようになる。売上入金機に入金された売上金としての貨幣は、警送会社の収集担当者により回収されて当該警送会社の管理センターに運搬されるようになっている。
【０００３】
このような店舗のフロント領域の精算所に設置されるレジ釣銭機としては例えば特許文献１等に開示されるものが知られており、また、バックヤード領域に設置される売上入金機としては例えば特許文献２等に開示されるものが知られている。
【先行技術文献】
【特許文献】
【０００４】
【特許文献１】特開２００９−２３０６８０号公報
【特許文献２】特開２００９−２８２５６０号公報
【発明の概要】
【発明が解決しようとする課題】
【０００５】
従来では、フロント領域の精算所に設置されたレジ釣銭機と出納室に設置された売上入金機との間で貨幣の授受を行うにあたり、レジ釣銭機の機体内に収容された釣銭機カセットが用いられていた。具体的に説明すると、売上金としての貨幣がレジ釣銭機に入金されると、この貨幣は当該レジ釣銭機の機体内に収容された釣銭機カセットに収納されるようになる。そして、店舗の営業時間終了後に、レジ担当者は売上金としての貨幣が収納されている釣銭機カセットをレジ釣銭機から取り出してこの釣銭機カセットを出納室に運搬し、店舗の店長等の現金管理者が釣銭機カセットの解錠を行った後、レジ担当者は釣銭機カセットから貨幣を取り出して売上入金機に入金する。しかしながら、このような貨幣の処理方法では、出納室に現金管理者がいなければこの出納室に持ち込まれた釣銭機カセットの解錠を行うことができないため、現金管理者が出納室に戻るまでレジ担当者は釣銭機カセットに収納された貨幣を売上入金機に入金することができず、当該レジ担当者が現金管理者を待つ時間が無駄な時間となってしまうという問題があった。また、このような貨幣の処理方法では、レジ担当者がレジ釣銭機から取り出した釣銭機カセットを出納室に運搬する際に当該レジにおける売上金額が記載されたレシートを一緒に持ち運ぶが、出納室にて釣銭機カセットを解錠した後にこの釣銭機カセットに収納された貨幣を売上入金機に入金する際にレジ番号やレシートに記載された売上金額等の情報をレジ担当者は手入力で売上入金機に入力しなければならず、入力間違いが生じるおそれがあった。
【０００６】
また、店舗内で、フロント領域の精算所に設置されたＰＯＳレジスタと、出納室に設けられた売上入金機とをオンラインにより通信可能に接続する方法が従来から知られている。このような方法によれば、レジにおける売上金額やレジ釣銭機の在高等の情報をオンラインにて売上入金機に設けられたデータ連係端末に送信し、当該データ連係端末においてレジ毎に売上金額を集計することができる。しかしながら、店舗内でＰＯＳレジスタと売上入金機とをオンラインで通信可能に接続する場合には高額な設備投資が必要となり、また、既存の施設にオンラインの配線工事を新たに行う際には当該配線工事の期間中店舗を閉店させなければならないという問題があった。また、店舗内でＰＯＳレジスタと売上入金機とをオンラインで通信可能に接続しても、出納室に持ち込まれた釣銭機カセットの解錠を行うのは店舗の店長等の現金管理者であるため、依然として、現金管理者が出納室にいなければレジ担当者は釣銭機カセットに収納された貨幣を売上入金機に入金することができず、当該レジ担当者が現金管理者を待つ時間が無駄な時間となってしまうという問題が残る。
【０００７】
本発明は、このような点を考慮してなされたものであり、レジ担当者は現金管理者を待たなくても貨幣収納カセットから貨幣を取り出すことができ、よってレジ担当者の作業時間を短縮することができ、このためより一層の業務効率化を図ることができる貨幣処理装置、貨幣処理方法および貨幣処理システムを提供することを目的とする。
【０００８】
また、本発明の貨幣処理装置、貨幣処理方法および貨幣処理システムにおいて、貨幣収納カセットに設けられた情報保持具により情報を保持させることによって当該情報の伝達にＰＯＳレジスタを介さないようにした場合には、ＰＯＳレジスタの機種や通信体系に影響されることがなくなり、ＰＯＳレジスタの機種やメーカー毎のインターフェースの開発が不要となる。
【課題を解決するための手段】
【０００９】
本発明の貨幣処理装置は、貨幣収納カセットとともに運搬される情報保持具により保持されている情報を読み取る読取部と、前記貨幣収納カセットの解錠を行う解錠部と、機体内に投入された貨幣を収納する収納部と、前記読取部により読み取られた情報に基づいて前記解錠部により前記貨幣収納カセットを解錠させるよう当該解錠部の制御を行う制御部と、を備えたことを特徴とする。
【００１０】
このような貨幣処理装置によれば、貨幣収納カセットが出納室に持ち込まれたときに、この貨幣収納カセットとともに運搬される情報保持具から情報の読み取りを行い、読み取られた情報に基づいて解錠部により貨幣収納カセットの解錠を行うことにより、レジ担当者は現金管理者を待たなくても貨幣収納カセットから貨幣を取り出すことができるため作業時間を短縮することができ、より一層の業務効率化を図ることができる。
【００１１】
本発明の貨幣処理装置においては、前記情報保持具により保持される情報は、前記貨幣収納カセットにより前記貨幣処理装置との間で貨幣の授受を行う釣銭機が設置されたレジや店舗を特定可能な個別情報を含み、前記制御部は、前記読取部により読み取られた情報における前記個別情報に基づいて前記解錠部により前記貨幣収納カセットを解錠させるよう当該解錠部の制御を行うようになっていてもよい。
【００１２】
この場合、前記情報保持具により保持される情報は、前記レジや前記店舗における担当者の識別番号、前記レジや前記店舗における売上金額および前記レジや前記店舗に設置された前記釣銭機の在高のうち少なくとも一つのものを更に含んでいてもよい。
【００１３】
また、前記情報保持具により保持される情報は、前記貨幣収納カセットに収納されている貨幣の金額や金種毎の枚数に係るデータである売上回収データを更に含んでいてもよい。
【００１４】
この際に、前記制御部は、前記読取部により読み取られた情報における売上回収データと、機体内に投入された貨幣の金額や金種毎の枚数に係る入金データとの照合を行うようになっていてもよい。
【００１５】
本発明の貨幣処理装置においては、前記解錠部により解錠が行われた前記貨幣収納カセット内の貨幣は自動的に前記貨幣処理装置の機体内に投入されて前記収納部に収納されるようになっていてもよい。
【００１６】
本発明の貨幣処理装置においては、前記収納部に収納された貨幣を前記貨幣処理装置の機体外に出金することができるようになっており、前記情報保持具により保持される情報は、前記貨幣収納カセットにより前記貨幣処理装置との間で貨幣の授受を行う釣銭機の在高を含み、前記制御部は、前記読取部により読み取られた情報における前記釣銭機の在高に基づいて釣銭準備金としての貨幣を前記収納部から機体外に出金させるようになっていてもよい。
【００１７】
本発明の貨幣処理装置においては、前記情報保持具は前記貨幣収納カセットに取り付けられていてもよい。
【００１８】
この場合、本発明の貨幣処理装置は、前記貨幣収納カセットが装填される装填部を更に備え、前記読取部は前記装填部に設けられていてもよい。
【００１９】
本発明の貨幣処理方法は、貨幣収納カセットとともに運搬される情報保持具により保持されている情報を読み取る工程と、読み取られた情報に基づいて貨幣処理装置に設けられた解錠部により前記貨幣収納カセットの解錠を行う工程と、前記貨幣収納カセットから取り出された貨幣を前記貨幣処理装置の機体内に収納する工程と、を備えたことを特徴とする。
【００２０】
このような貨幣処理方法によれば、貨幣収納カセットが出納室に持ち込まれたときに、この貨幣収納カセットとともに運搬される情報保持具から情報の読み取りを行い、読み取られた情報に基づいて貨幣処理装置に設けられた解錠部により貨幣収納カセットの解錠を行うことにより、レジ担当者は現金管理者を待たなくても貨幣収納カセットから貨幣を取り出すことができるため作業時間を短縮することができ、より一層の業務効率化を図ることができる。
【００２１】
本発明の貨幣処理システムは、レジに設けられた釣銭機と、機体内に投入された貨幣を収納する収納部を有する貨幣処理装置と、を備え、貨幣収納カセットにより前記釣銭機と前記貨幣処理装置との間で貨幣の授受が行われるようになっており、前記貨幣処理装置は、前記貨幣収納カセットとともに運搬される情報保持具により保持されている情報を読み取る読取部と、前記貨幣収納カセットの解錠を行う解錠部と、前記読取部により読み取られた情報に基づいて前記解錠部により前記貨幣収納カセットを解錠させるよう当該解錠部の制御を行う制御部と、を有していることを特徴とする。
【００２２】
このような貨幣処理システムによれば、貨幣収納カセットが出納室に持ち込まれたときに、この貨幣収納カセットとともに運搬される情報保持具から情報の読み取りを行い、読み取られた情報に基づいて貨幣処理装置に設けられた解錠部により貨幣収納カセットの解錠を行うことにより、レジ担当者は現金管理者を待たなくても貨幣収納カセットから貨幣を取り出すことができるため作業時間を短縮することができ、より一層の業務効率化を図ることができる。
【００２３】
本発明の貨幣処理システムにおいては、前記情報保持具により保持される情報は、前記釣銭機が設置されたレジや店舗を特定可能な個別情報を含み、前記制御部は、前記読取部により読み取られた情報における前記個別情報に基づいて前記解錠部により前記貨幣収納カセットを解錠させるよう当該解錠部の制御を行うようになっていてもよい。
【発明の効果】
【００２４】
本発明の貨幣処理装置、貨幣処理方法および貨幣処理システムによれば、レジ担当者は現金管理者を待たなくても貨幣収納カセットから貨幣を取り出すことができ、よってレジ担当者の作業時間を短縮することができ、このためより一層の業務効率化を図ることができる。
【図面の簡単な説明】
【００２５】
【図１】本発明の実施の形態による売上入金機が設置された店舗の構成の概略を示す概略構成図である。
【図２】図１に示す店舗のフロント領域の精算所に設置されたレジユニットにおける硬貨釣銭機、紙幣釣銭機およびＰＯＳレジスタの構成を示す斜視図である。
【図３】図２に示すレジユニットの構成の概略を示す概略構成図である。
【図４】図２に示すレジユニットの機能ブロック図である。
【図５】図１に示す店舗のバックヤード領域に設置された売上入金機の構成を示す斜視図である。
【図６】図５に示す売上入金機の内部構成を示す構成図である。
【図７】図５に示す売上入金機に設けられたカセット解錠機構の構成を示す斜視図である。
【図８】図２に示すレジユニットの紙幣釣銭機の筐体の内部から取り出された紙幣回収カセットの構成を示す斜視図である。
【図９】（ａ）〜（ｄ）は、図７に示すカセット解錠機構により紙幣回収カセットの解錠を行う動作を順に示す斜視図である。
【図１０】図５に示す売上入金機の機能ブロック図である。
【図１１】図２に示すレジユニットおよび図５に示す売上入金機からなる貨幣処理システムの動作を示すフローチャートである。
【図１２】変形例に係るカセット解錠機構の構成を示す斜視図であって、紙幣回収カセットがセットされる前の状態を示す図である。
【図１３】変形例に係るカセット解錠機構の構成を示す斜視図であって、紙幣回収カセットがスライドベース部にセットされてロック解錠部側に押し込まれたときの状態を示す図である。
【図１４】図１２や図１３に示すカセット解錠機構の上面図である。
【図１５】図１２乃至図１４に示すカセット解錠機構に装填されるべき紙幣回収カセットを底面側から見たときの構成を示す斜視図である。
【図１６】図１２乃至図１４に示すカセット解錠機構に紙幣回収カセットが装填されたときの構成を概略的に示す概略構成図である。
【図１７】図１２乃至図１４に示すカセット解錠機構の構成を概略的に示す側面図である。
【図１８】ロータリーダンパーが設けられたカセット解錠機構の構成を示す側面図であって、（ａ）は、スライドベース部にセットされた紙幣回収カセットがロック解錠部側に押し込まれる前の状態を示す図であり、（ｂ）は、スライドベース部にセットされた紙幣回収カセットがロック解錠部側に押し込まれた後の状態を示す図である。
【図１９】図１８に示すカセット解錠機構の内部構成を示す斜視図であって、（ａ）は、スライドベース部にセットされた紙幣回収カセットがロック解錠部側に押し込まれる前の状態を示す図であり、（ｂ）は、スライドベース部にセットされた紙幣回収カセットがロック解錠部側に押し込まれた後の状態を示す図である。
【図２０】（ａ）〜（ｃ）は、それぞれ、図１８および図１９に示すカセット解錠機構に設けられたロータリーダンパーの斜視図、側面図および正面図である。
【発明を実施するための形態】
【００２６】
以下、図面を参照して本発明の実施の形態について説明する。図１乃至図１１は、本実施の形態による売上入金機（貨幣処理装置）およびこの売上入金機を備えた貨幣処理システムを示す図である。このうち、図１は、本実施の形態による売上入金機が設置された店舗の構成の概略を示す概略構成図であり、図２は、図１に示す店舗のフロント領域の精算所に設置されたレジユニットにおける硬貨釣銭機、紙幣釣銭機およびＰＯＳレジスタの構成を示す斜視図である。また、図３は、図２に示すレジユニットの内部構成の概略を示す概略構成図であり、図４は、図２に示すレジユニットの機能ブロック図である。また、図５は、図１に示す店舗のバックヤード領域に設置された売上入金機の構成を示す斜視図であり、図６は、図５に示す売上入金機の内部構成を示す構成図である。また、図７は、図５に示す売上入金機に設けられたカセット解錠機構の構成を示す斜視図であり、図８は、図２に示すレジユニットの紙幣釣銭機の筐体の内部から取り出された紙幣回収カセットの構成を示す斜視図であり、図９（ａ）〜（ｄ）は、図７に示すカセット解錠機構により紙幣回収カセットの解錠を行う動作を順に示す斜視図である。また、図１０は、図５に示す売上入金機の機能ブロック図である。また、図１１は、図２に示すレジユニットおよび図５に示す売上入金機からなる貨幣処理システムの動作を示すフローチャートである。
【００２７】
図１に示すように、コンビニエンスストアやスーパーマーケット等の商業施設の店舗１０において、顧客が立ち入ることができるフロント領域１２には様々な商品が陳列された商品棚１４が設置されているとともに、このフロント領域１２の精算所１６にはレジユニット１８が設置されている。後述するように、レジユニット１８は、硬貨釣銭機１００、紙幣釣銭機２００およびＰＯＳレジスタ３００等から構成されている。顧客がこのような精算所１６で精算処理を行う際に、店員は、顧客から受け取った商品の代金としての貨幣や商品券をレジユニット１８の硬貨釣銭機１００や紙幣釣銭機２００に入金したり、釣銭としての貨幣を硬貨釣銭機１００や紙幣釣銭機２００から出金して顧客に返却したりするようになっている。また、このような店舗における顧客の立ち入りが禁止されたバックヤード領域２０には、硬貨釣銭機１００や紙幣釣銭機２００から回収された売上金としての貨幣が入金される売上入金機２２が設置されている。また、このような売上入金機２２がショッピングセンターに設置される場合には、フロント領域１２の精算所１６に設置された硬貨釣銭機１００や紙幣釣銭機２００から回収された売上金としての貨幣に加えて、ショッピングセンター内の各テナントから持ち込まれた売上金としての貨幣が当該売上入金機２２に入金されるようになる。売上入金機２２に入金された売上金としての貨幣は、警送会社の収集担当者により回収されて当該警送会社の管理センターに運搬されるようになっている。ここで、本実施の形態では、売上入金機２２として、紙幣、硬貨、商品券等を含む有価媒体の処理を一つの装置で行うようなものが用いられるようになっている。また、本実施の形態では、レジユニット１８および売上入金機２２により貨幣処理システムが構成されている。
【００２８】
まず、フロント領域１２の精算所１６に設置されたレジユニット１８の構成の詳細について図２乃至図４を用いて説明する。前述したように、図２は、レジユニット１８における硬貨釣銭機１００、紙幣釣銭機２００およびＰＯＳレジスタ３００の構成を示す斜視図であり、図３は、図２に示すレジユニット１８の内部構成の概略を示す概略構成図であり、図４は、図２に示すレジユニット１８の機能ブロック図である。
【００２９】
図２等に示すように、レジユニット１８は、硬貨釣銭機１００と、紙幣釣銭機２００と、ＰＯＳレジスタ３００とを備えており、硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。そして、ＰＯＳレジスタ３００は、硬貨釣銭機１００および紙幣釣銭機２００の上方に配置される。以下、硬貨釣銭機１００および紙幣釣銭機２００をまとめて貨幣釣銭機ともいう。
【００３０】
また、図３に示すように、ＰＯＳレジスタ３００は店舗サーバ４００に通信接続されている。そして、ＰＯＳレジスタ３００から店舗サーバ４００に売上金情報等が送信されるようになっている。また、各種設定情報が、店舗サーバ４００からＰＯＳレジスタ３００（複数台でも可）に配信されるようになっている。
【００３１】
図３および図４に示すように、硬貨釣銭機１００は、上位制御部１２０および硬貨釣銭機制御部１３０を有しており、これらの上位制御部１２０および硬貨釣銭機制御部１３０は互いに通信接続されている。また、紙幣釣銭機２００は、紙幣釣銭機制御部２３０を有しており、この紙幣釣銭機制御部２３０は硬貨釣銭機１００の上位制御部１２０に通信接続されている。また、また、ＰＯＳレジスタ３００もＰＯＳ制御部３３０を有しており、硬貨釣銭機１００の上位制御部１２０はＰＯＳレジスタ３００のＰＯＳ制御部３３０に通信接続されている。
【００３２】
以下、硬貨釣銭機１００、紙幣釣銭機２００およびＰＯＳレジスタ３００の各々の構成について図２および図３を用いて詳述する。
【００３３】
まず、硬貨釣銭機１００の構成について具体的に説明する。図２および図３に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００３４】
硬貨受入部１１４は、投入された硬貨を検知すると駆動され、受け入れた硬貨を１層１列状態で１枚ずつ機体内に取り込むようになっている。図３に示すように、この硬貨受入部１１４には、当該硬貨受入部１１４により機体内に取り込まれた硬貨を搬送する入金搬送部１０３が接続されている。
【００３５】
図３に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３６】
一方、正常硬貨等の機体内に収納されるべき硬貨は入金搬送部１０３により各硬貨収納部１０６へ搬送されるようになっている。各硬貨収納部１０６は硬貨を金種別に収納するようになっている。具体的には、例えば入金搬送部１０３の上流側から高額順に硬貨が収納される。
【００３７】
出金搬送部１０８は、各硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３８】
次に、紙幣釣銭機２００の構成について具体的に説明する。図２および図３に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００３９】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００４０】
また、周回搬送部２０３ａと各接続搬送部２０３ｂとの間で紙幣の搬送経路を切り換える経路切換部（図示せず）が、周回搬送部２０３ａに沿って配置されている。
【００４１】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に設置されている。
【００４２】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより筐体２１０の外部へ放出するようになっている。
【００４３】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００４４】
紙幣回収カセット２０７は筐体２１０の前面から引き出すことにより当該筐体２１０の外部に取り出すことができるようになっている。このような紙幣回収カセット２０７の構成の詳細を図８に示す。図８に示すように、紙幣回収カセット２０７の底面にはＩＣタグ２０７ｃが設けられており、このＩＣタグ２０７ｃに様々な情報（例えば、レジの識別番号であるレジ番号、レジが設置された売り場名、店舗名、レジの担当者の識別番号、レジにおける売上金額、硬貨釣銭機１００や紙幣釣銭機２００の在高、売上日付、売上回収データ（具体的には、紙幣回収カセット２０７に収納されている紙幣の金額や金種毎の枚数）、売上回収日時（具体的には、操作者によりＰＯＳレジスタ３００に対して回収処理の指令が与えられた日時）等）を記憶させることができるようになっている。また、紙幣回収カセット２０７にはロック部（図示せず）が設けられており、紙幣回収カセット２０７が筐体２１０の外部に取り出されたときに、ロック部が当該紙幣回収カセット２０７のロックを行うことにより、操作者はこの紙幣回収カセット２０７の内部から紙幣を取り出すことができないようになっている。このようなロック部によりロックされた紙幣回収カセット２０７は、レジ担当者によって当該紙幣回収カセット２０７がバックヤード領域２０に運搬された後、このバックヤード領域２０に設置された売上入金機２２のカセット解錠機構６００（後述）によりロック部のロックが解錠されるようになっている。カセット解錠機構６００による紙幣回収カセット２０７のロック部のロックの解錠方法の詳細については後述する。
【００４５】
次に、ＰＯＳレジスタ３００の構成について具体的に説明する。ＰＯＳレジスタ３００は、商品の購入情報を登録するとともに、硬貨釣銭機１００や紙幣釣銭機２００に対して硬貨や紙幣の入出金処理を行わせるようになっている。
【００４６】
ＰＯＳレジスタ３００のＰＯＳ制御部３３０は、図３に示すように、硬貨釣銭機１００の上位制御部１２０に通信接続されているとともに、店舗サーバ４００にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００４７】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の在高を表示するようになっている。また、ＰＯＳレジスタ３００には顧客向けの追加の表示部３０２ａが設けられており、様々な情報を表示部３０２に表示させる代わりに、あるいは表示部３０２における表示に加えて、追加の表示部３０２ａにおいて顧客向けの表示が行われるようになっている。また、ＰＯＳレジスタ３００にはカードリーダライタ３３６および印字部３３８が設けられている（図４参照、図２および図３では図示せず）。カードリーダライタ３３６は、操作者のＩＤカードを読み取ることにより操作者ＩＤや操作者の権限等に関する情報を取得するようになっている。また、印字部３３８は例えばプリンタから構成され、取引内容を印字したり（通常の取引レシート）、硬貨釣銭機１００や紙幣釣銭機２００の在高等の様々な情報を印字したりするようになっている。
【００４８】
図４に、上述のような構成からなるレジユニット１８の制御ブロック図を示す。図４に示すように、硬貨釣銭機１００の上位制御部１２０には、硬貨釣銭機１００のインターフェース１３２、操作表示部１１２および記憶部１３４が接続されている。この上位制御部１２０は、インターフェース１３２により、紙幣釣銭機２００の紙幣釣銭機制御部２３０やＰＯＳレジスタ３００のＰＯＳ制御部３３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の在高を表示するようになっている。また、記憶部１３４には、硬貨釣銭機１００や紙幣釣銭機２００における硬貨や紙幣の処理状況や、硬貨釣銭機１００や紙幣釣銭機２００の在高等の様々な情報が記憶されるようになっている。
【００４９】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。
【００５０】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、ＩＣリーダライタ２１８等がそれぞれ接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。また、紙幣釣銭機２００の紙幣釣銭機制御部２３０は、ＩＣリーダライタ２１８により、筐体２１０内に収容された紙幣回収カセット２０７のＩＣタグ２０７ｃに、レジ番号、レジが設置された売り場名、店舗名、レジの担当者の識別番号、レジにおける売上金額、硬貨釣銭機１００や紙幣釣銭機２００の在高、売上日付、売上回収データ、売上回収日時等の様々な情報を書き込むようになっている。
【００５１】
また、ＰＯＳレジスタ３００のＰＯＳ制御部３３０には、表示部３０２、操作部３０４、記憶部３３４、インターフェース３３２、カードリーダライタ３３６、印字部３３８等がそれぞれ接続されており、操作者により操作部３０４に入力された指令が当該操作部３０４からＰＯＳ制御部３３０に送られたり、カードリーダライタ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。また、ＰＯＳ制御部３３０は、表示部３０２に様々な情報を表示させる代わりに、あるいは表示部３０２における表示に加えて、追加の表示部３０２ａにおいて顧客向けの表示を行わせるようになっている。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ４００に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の在高等の様々な情報が記憶されるようになっている。
【００５２】
次に、バックヤード領域２０に設置された売上入金機２２の構成の詳細について図５乃至図７および図１０を用いて説明する。前述したように、図５は、売上入金機２２の構成を示す斜視図であり、図６は、図５に示す売上入金機２２の内部構成を示す構成図であり、図７は、図５に示す売上入金機２２に設けられたカセット解錠機構６００の構成を示す斜視図である。また、図１０は、図５に示す売上入金機２２の機能ブロック図である。
【００５３】
図５および図６に示すように、売上入金機２２は略直方体形状の筐体５１２を有しており、この筐体５１２内には、紙幣や商品券等の紙葉類の処理を行う紙葉類処理機構５２０および硬貨の処理を行う硬貨処理機構５５０がそれぞれ設けられている。また、図５に示すように、売上入金機２２を正面から見て右側部分には上方から順に紙葉類投入部５２２、紙葉類リジェクト部５３０、および紙葉類集積部５３２（後述）の前面開口を開閉するためのシャッタ５３３がそれぞれ配設されている。また、売上入金機２２を正面から見て左側部分には硬貨投入部５５２が配設されている。また、売上入金機２２を正面から見て右上部分には例えばタッチパネル等からなる操作表示部５８２がターミナルとして配設されている。また、売上入金機２２を正面から見て左上部分には、レジユニット１８の紙幣釣銭機２００の筐体２１０から外部に取り出された紙幣回収カセット２０７の解錠を行うためのカセット解錠機構６００が配設されている。また、売上入金機２２の前面下部には下部扉５１４が設けられており、この下部扉５１４を開くことにより、筐体５１２内に収容された紙葉類収納カセット５３８、５４０（後述）や硬貨収納カセット５６８、５７０（後述）を筐体５１２の手前側に引き出すことができるようになっている。
【００５４】
次に、このような売上入金機２２における紙葉類処理機構５２０および硬貨処理機構５５０の構成の詳細についてそれぞれ図６を用いて以下に説明する。図６に示すように、紙葉類処理機構５２０において、紙葉類投入部５２２には紙葉類繰出部５２３が設けられており、この紙葉類投入部５２２に積層状態で投入された紙幣や商品券等の紙葉類は紙葉類繰出部５２３により１枚ずつ売上入金機２２の筐体５１２内に繰り出されるようになっている。また、紙葉類投入部５２２には紙葉類搬送部５２４が接続されており、紙葉類繰出部５２３により紙葉類投入部５２２から繰り出された紙幣や商品券等の紙葉類は紙葉類搬送部５２４により１枚ずつ搬送されるようになっている。また、紙葉類搬送部５２４には紙葉類識別部５２６が介設されており、紙葉類搬送部５２４により搬送される紙幣や商品券等の紙葉類は紙葉類識別部５２６によりその種類や金種等について識別が行われるようになっている。より詳細には、紙葉類識別部５２６には撮像部としてイメージセンサ５２７が設けられており、このイメージセンサ５２７により紙幣や商品券等の紙葉類の表面が撮像されてその画像データが取得されるようになっている。
【００５５】
また、紙葉類搬送部５２４における紙葉類識別部５２６よりも下流側には消し込み部５２８が設けられている。消し込み部５２８は例えばインクジェットプリンタ等からなり、紙葉類識別部５２６により識別が行われた紙葉類が商品券である場合には、このような商品券の表面に対して消し込み部５２８により「済」印等の所定の内容が印字されるようになっている。このことにより、売上入金機２２の筐体５１２内に投入されて紙葉類識別部５２６により識別が行われた商品券について、所定の内容が印字されることにより、操作者はこのような商品券が紙葉類処理機構５２０で処理済のものであることを視認することができるようになる。なお、消し込み部５２８により商品券に印字される内容や位置は任意に設定することができるようになっている。また、商品券の種類に応じて、消し込み部５２８による印字を行うか否かの設定を行うことができるようになっている。
【００５６】
また、図６に示すように、紙葉類搬送部５２４には紙葉類リジェクト部５３０が接続されており、紙葉類識別部５２６により識別された紙葉類のうち、正常な紙幣ではないと識別された紙幣や予め設定された所定の種類のものではない商品券がリジェクト券として紙葉類搬送部５２４から紙葉類リジェクト部５３０に送られてこの紙葉類リジェクト部５３０に集積されるようになっている。紙葉類リジェクト部５３０は売上入金機２２の筐体５１２の外部から操作者がアクセス可能となっており、紙葉類リジェクト部５３０に集積されたリジェクト券は操作者により筐体５１２の外部に取り出されるようになっている。
【００５７】
また、図６に示すように、紙葉類搬送部５２４には紙葉類集積部５３２が接続されており、紙葉類識別部５２６により識別された紙葉類のうち予め設定された所定の種類の紙葉類が紙葉類搬送部５２４から紙葉類集積部５３２に送られてこの紙葉類集積部５３２に集積されるようになっている。図５および図６に示すように、紙葉類集積部５３２には、この紙葉類集積部５３２の前面開口の開閉を行うシャッタ５３３が設けられており、このシャッタ５３３を開くことにより、操作者は紙葉類集積部５３２に集積された紙葉類を売上入金機２２の筐体５１２の外部に取り出すことができるようになっている。このようなシャッタ５３３の開閉は後述する制御部５８０により制御されるようになっている。なお、紙葉類集積部５３２の前面開口にシャッタ５３３を設置することを省略することもでき、この場合には、紙葉類集積部５３２は売上入金機２２の筐体５１２の外部から操作者がいつでもアクセス可能となる。
【００５８】
また、図６に示すように、紙葉類搬送部５２４には第１の紙葉類一時保留部５３４および第２の紙葉類一時保留部５３６がそれぞれ接続されており、紙葉類識別部５２６により識別された紙葉類のうち予め設定された所定の種類の紙葉類が紙葉類搬送部５２４から第１の紙葉類一時保留部５３４や第２の紙葉類一時保留部５３６に送られてこれらの第１の紙葉類一時保留部５３４や第２の紙葉類一時保留部５３６に一時的に保留されるようになっている。また、第１の紙葉類一時保留部５３４の下方には第１の紙葉類収納カセット５３８が設けられているとともに、第２の紙葉類一時保留部５３６の下方には第２の紙葉類収納カセット５４０が設けられている。そして、第１の紙葉類一時保留部５３４や第２の紙葉類一時保留部５３６に紙葉類が一時的に保留された後、売上入金機２２の制御部５８０（後述）に対して操作表示部５８２（後述）により入金承認の指令が与えられると、第１の紙葉類一時保留部５３４や第２の紙葉類一時保留部５３６の底面が開放されてこれらの第１の紙葉類一時保留部５３４や第２の紙葉類一時保留部５３６に一時的に保留されている紙葉類が第１の紙葉類収納カセット５３８や第２の紙葉類収納カセット５４０に収納されるようになっている。これらの第１の紙葉類収納カセット５３８や第２の紙葉類収納カセット５４０は、売上入金機２２の筐体５１２から取り外し可能となっており、第１の紙葉類収納カセット５３８や第２の紙葉類収納カセット５４０を筐体５１２から取り外すことによりこれらの第１の紙葉類収納カセット５３８や第２の紙葉類収納カセット５４０に収納されている紙葉類を取り出すことができるようになっている。
【００５９】
また、第１の紙葉類一時保留部５３４や第２の紙葉類一時保留部５３６に紙葉類が一時的に保留された後、売上入金機２２の制御部５８０（後述）に対して操作表示部５８２（後述）により返却の指令が与えられると、第１の紙葉類一時保留部５３４や第２の紙葉類一時保留部５３６に一時的に保留された紙葉類が売上入金機２２の筐体５１２の外部に返却されるようになっている。具体的には、例えば、第１の紙葉類一時保留部５３４に一時的に保留された紙葉類については、この第１の紙葉類一時保留部５３４の前面に設けられたシャッタ（図示せず）が開放されることにより、操作者は第１の紙葉類一時保留部５３４内にアクセスしてこの第１の紙葉類一時保留部５３４から紙葉類を取り出すことができるようになる。また、第２の紙葉類一時保留部５３６に一時的に保留された紙葉類については、この第２の紙葉類一時保留部５３６自体を筐体５１２の前方側に引き出すことにより、操作者は第２の紙葉類一時保留部５３６内にアクセスしてこの第２の紙葉類一時保留部５３６から紙葉類を取り出すことができるようになる。
【００６０】
また、紙葉類処理機構５２０における紙葉類を収納する第１の紙葉類収納カセット５３８および第２の紙葉類収納カセット５４０について、その管理権限（例えば、店舗側の管理権限か警送会社側の管理権限か）や、収納されるべき紙葉類の種類（例えば、紙幣、商品券、あるいは紙幣および商品券の混合）をそれぞれ設定することができるようになっている。
【００６１】
次に、硬貨処理機構５５０の構成について以下に説明する。図５および図６に示すように、硬貨処理機構５５０には例えばホッパ等からなる硬貨投入部５５２が設けられており、この硬貨投入部５５２には硬貨搬送部５５４が接続されている。ここで、硬貨投入部５５２に投入された硬貨は硬貨搬送部５５４により一層一列状態で１枚ずつ搬送されるようになっている。また、硬貨搬送部５５４には硬貨識別部５５６が設けられており、硬貨搬送部５５４により搬送される硬貨は硬貨識別部５５６によりその真偽や金種等について識別が行われるようになっている。
【００６２】
また、硬貨識別部５５６よりも硬貨の搬送方向における下流側において、硬貨搬送部５５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部５５４により搬送される硬貨が硬貨リジェクト口や各分岐口に選択的に入れられ、硬貨搬送部５５４から分岐されるようになっている。
【００６３】
図６に示すように、硬貨搬送部５５４における硬貨リジェクト口の下方には硬貨リジェクトシュート５５８を介して硬貨リジェクト部５６０が設けられている。ここで、硬貨識別部５５６により識別された硬貨のうち、正常な硬貨ではないリジェクト硬貨は硬貨リジェクト口により硬貨搬送部５５４から分岐されて硬貨リジェクトシュート５５８に送られ、この硬貨リジェクトシュート５５８により硬貨リジェクト部５６０に導かれるようになっている。このような硬貨リジェクト部５６０は売上入金機２２の筐体５１２の外部に取り出し可能となっており、操作者は、硬貨リジェクト部５６０を筐体５１２の外部に取り出した後、この硬貨リジェクト部５６０からリジェクト硬貨を取り出すようになっている。
【００６４】
また、硬貨搬送部５５４に設けられた２つの分岐口の各々の下方には第１の硬貨搬送シュート５６１および第２の硬貨搬送シュート５６３を介して第１の硬貨一時保留部５６２および第２の硬貨一時保留部５６４がそれぞれ設けられており、所定の金種の硬貨がそれぞれ硬貨搬送部５５４から分岐口により分岐されて第１の硬貨搬送シュート５６１や第２の硬貨搬送シュート５６３に送られ、第１の硬貨一時保留部５６２や第２の硬貨一時保留部５６４に一時的に保留されるようになっている。ここで、第１の硬貨一時保留部５６２および第２の硬貨一時保留部５６４はそれぞれ、上方および下方が開口された枠体と、この枠体の下方開口を選択的に閉じる底板とを有しており、枠体の下方開口を底板が閉じた状態で、第１の硬貨一時保留部５６２や第２の硬貨一時保留部５６４に硬貨が一時的に保留されるようになっている。
【００６５】
また、図６に示すように、第１の硬貨一時保留部５６２や第２の硬貨一時保留部５６４の下方には、硬貨返却箱５６６、第１の硬貨収納カセット５６８および第２の硬貨収納カセット５７０がそれぞれ設けられており、第１の硬貨一時保留部５６２や第２の硬貨一時保留部５６４に一時的に保留された硬貨は、これらの硬貨返却箱５６６、第１の硬貨収納カセット５６８および第２の硬貨収納カセット５７０のうち何れかに送られるようになっている。ここで、第１の硬貨収納カセット５６８には第１の硬貨一時保留部５６２に一時的に保留された硬貨が送られるようになっており、また、第２の硬貨収納カセット５７０には第２の硬貨一時保留部５６４に一時的に保留された硬貨が送られるようになっている。また、硬貨返却箱５６６は２つの領域に区分けされている。そして、第１の硬貨一時保留部５６２や第２の硬貨一時保留部５６４に硬貨が一時的に保留された後、売上入金機２２の制御部５８０（後述）に対して操作表示部５８２（後述）により入金承認の指令が与えられると、第１の硬貨一時保留部５６２や第２の硬貨一時保留部５６４の枠体が水平方向に移動して、この枠体内にある硬貨がそれぞれ第１の硬貨収納カセット５６８や第２の硬貨収納カセット５７０に収納されるようになる。これらの第１の硬貨収納カセット５６８や第２の硬貨収納カセット５７０は、売上入金機２２の筐体５１２から取り外し可能となっており、第１の硬貨収納カセット５６８や第２の硬貨収納カセット５７０を筐体５１２から取り外すことによりこれらの第１の硬貨収納カセット５６８や第２の硬貨収納カセット５７０に収納されている硬貨を取り出すことができるようになっている。
【００６６】
また、第１の硬貨一時保留部５６２や第２の硬貨一時保留部５６４に硬貨が一時的に保留された後、売上入金機２２の制御部５８０（後述）に対して操作表示部５８２（後述）により返却の指令が与えられると、第１の硬貨一時保留部５６２や第２の硬貨一時保留部５６４の底板が水平方向に移動して枠体の下部開口が開くことにより、この枠体内にある硬貨が硬貨返却箱５６６に収納される。ここで、前述したように硬貨返却箱５６６は２つの領域に区分けされており、第１の硬貨一時保留部５６２および第２の硬貨一時保留部５６４からそれぞれ送られた硬貨が、２つに区分けされた各領域に収納されるようになる。硬貨返却箱５６６は売上入金機２２の筐体５１２から前方に引き出し可能となっており、硬貨返却箱５６６を筐体５１２から前方に引き出すことにより操作者はこの硬貨返却箱５６６から返却硬貨を取り出すことができるようになる。
【００６７】
また、硬貨処理機構５５０における硬貨を収納する第１の硬貨収納カセット５６８および第２の硬貨収納カセット５７０について、紙葉類処理機構５２０における紙葉類を収納する第１の紙葉類収納カセット５３８および第２の紙葉類収納カセット５４０と同様に、その管理権限（例えば、店舗側の管理権限か警送会社側の管理権限か）を設定することができるようになっている。
【００６８】
また、紙葉類集積部５３２、第１の紙葉類収納カセット５３８、第２の紙葉類収納カセット５４０、第１の硬貨収納カセット５６８および第２の硬貨収納カセット５７０からなる各有価媒体収納部へのアクセスが規制部５７５（図１０参照）により有価媒体収納部毎に規制されるようになっている。より詳細には、紙葉類収納カセット５３８、５４０や硬貨収納カセット５６８、５７０については、各収納カセットに対応してカセットロック部（図示せず）が設けられており、これらのカセットロック部により売上入金機２２の筐体５１２内に各収納カセットを選択的にロックして取出不可とするようになっている。そして、このような規制部５７５によるロックを解除することにより、売上入金機２２の筐体５１２内から第１の紙葉類収納カセット５３８のみを取り出す動作や、売上入金機２２の筐体５１２内から第１の紙葉類収納カセット５３８、第２の紙葉類収納カセット５４０、第１の硬貨収納カセット５６８、第２の硬貨収納カセット５７０を一体的に取り出す動作等を選択的に行うことができるようになる。
【００６９】
また、上述した規制部５７５により紙葉類集積部５３２へのアクセスも選択的に規制することができるようになっている。具体的には、規制部５７５は、紙葉類集積部５３２の前面開口を開閉するためのシャッタ５３３の開閉を選択的に規制することにより、当該前面開口をシャッタ５３３により閉じた場合には操作者が紙葉類集積部５３２から紙葉類を筐体５１２の外部に取り出せないようにし、一方、紙葉類集積部５３２の前面開口をシャッタ５３３が開いた場合には操作者が紙葉類集積部５３２から紙葉類を筐体５１２の外部に取り出せるようにしている。
【００７０】
また、図５に示すように、売上入金機２２を正面から見て左上部分にはカセット解錠機構６００が配設されている。このようなカセット解錠機構６００の構成の詳細について図７および図８を用いて説明する。なお、前述したように、図７は、カセット解錠機構６００の構成を示す斜視図であり、図８は、カセット解錠機構６００により解錠されるべき、図２に示すレジユニット１８の紙幣釣銭機２００の筐体２１０の内部から取り出された紙幣回収カセット２０７の構成を示す斜視図である。
【００７１】
図７に示すように、カセット解錠機構６００は、紙幣回収カセット２０７を装填することができ、当該紙幣回収カセット２０７を奥側に押し込むことができるスライドベース部６１０と、スライドベース部６１０に装填された紙幣回収カセット２０７のロック部を解錠するためのロック解錠部６３０と、紙幣回収カセット２０７の状態等の所定の情報を表示するＬＥＤ等からなる表示部６４０とを有している。また、スライドベース部６１０の上面にはＩＣリーダ６５０が設けられており、このＩＣリーダ６５０により、スライドベース部６１０に装填された紙幣回収カセット２０７の底面に取り付けられているＩＣタグ２０７ｃに記憶された情報（例えば、レジ番号、レジが設置された売り場名、店舗名、レジの担当者の識別番号、レジにおける売上金額、硬貨釣銭機１００や紙幣釣銭機２００の在高、売上日付、売上回収データ、売上回収日時等）が読み取られるようになっている。
【００７２】
ロック解錠部６３０は、紙幣回収カセット２０７の押し込みを規制したりその規制を解除したりすることができ、スライド可能なカバー部６３２と、その内部にキー（図示せず）が設けられたキー部６３４とを有しており、紙幣回収カセット２０７を奧側に押し込む動作に連動してキー部６３４のキーが回動されて、紙幣回収カセット２０７のロック部のロックが解錠されるようになっている。なお、ロック解錠部６３０には、キー部６３４のキーを回動させるモータ部が設けられていてもよい。このようなモータ部がロック解錠部６３０に設けられている場合には、紙幣回収カセット２０７のロック部にキー部６３４のキーが差し込まれ、モータ部でキーが回動されることで、ロック部のロックが解錠されることとなる。
【００７３】
図８に示すように、カセット解錠機構６００により解錠されるべき紙幣回収カセット２０７は、短手方向であって水平方向に延在する揺動軸（図示せず）を有しており、紙幣回収カセット２０７の上方筐体部２０７ａは下方筐体部２０７ｂに対して当該揺動軸を中心に上下方向に揺動自在となっている。なお、紙幣回収カセット２０７に設けられたロック部でロックされているときには、この紙幣回収カセット２０７の上方筐体部２０７ａは下方筐体部２０７ｂに対して揺動軸を中心として揺動することができないが、ロック部のロックが解錠されることで、上方筐体部２０７ａが揺動軸を中心として上下方向に揺動することができるようになっている。そして、上方筐体部２０７ａが上方に揺動されることで、紙幣回収カセット２０７に収納された紙幣を取り出すことができるようになる。
【００７４】
本実施の形態では、ロック解錠部６３０の動作（具体的には、ロック解錠部６３０により紙幣回収カセット２０７のロック部を解錠する動作）は後述する売上入金機２２の制御部５８０により制御されるようになっている。このような制御部５８０によるロック解錠部６３０の制御内容の詳細については後述する。
【００７５】
また、図１０に示すように、本実施の形態の売上入金機２２では、この売上入金機２２における各構成要素の制御を行う制御部５８０が設けられている。より詳細には、制御部５８０には紙葉類処理機構５２０、硬貨処理機構５５０、規制部５７５等がそれぞれ接続されており、この制御部５８０から各構成要素に指令信号が送られることにより、これらの各構成要素が制御されるようになっている。また、前述したように、売上入金機２２の上側部分には例えばタッチパネル等からなる操作表示部５８２がターミナルとして配設されているが、この操作表示部５８２も制御部５８０に接続されており、このことにより、操作者は操作表示部５８２によって制御部５８０に対して様々な指令を与えたり、あるいは操作表示部５８２における表示内容が制御部５８０により制御されたりするようになっている。このような操作表示部５８２には、例えば操作ガイダンスや入金処理時の取引データ、あるいは各収納カセット５３８、５４０、５６８、５７０や紙葉類集積部５３２の在高等のデータが表示されるようになっている。
【００７６】
また、制御部５８０には記憶部５８４が接続されており、この記憶部５８４には、入金処理時の取引データや、各収納カセット５３８、５４０、５６８、５７０や紙葉類集積部５３２に収納された貨幣や商品券の在高等のデータが記憶されるようになっている。また、記憶部５８４には、各収納カセット５３８、５４０、５６８、５７０や紙葉類集積部５３２と管理権限との関係や、各収納カセット５３８、５４０、５６８、５７０や紙葉類集積部５３２と有価媒体の種類との関係も、各収納カセット５３８、５４０、５６８、５７０や紙葉類集積部５３２毎に記憶されるようになっている。
【００７７】
また、制御部５８０には、操作者の管理権限を認証するための認証部５８６が設けられている。認証部５８６は、例えば売上入金機２２の右上部分における操作表示部５８２の右側に配置され、操作者が携帯するＩＤカードの読み取りを行うカードリーダ５８３（図５参照）を含み、このようなカードリーダ５８３で操作者が携帯するＩＤカードの読み取りを行うことによりこの操作者の管理権限が店舗側の管理権限および警送会社側の管理権限のうち何れかを判定するようになっている。なお、認証部５８６としては、カードリーダ５８３の代わりに、操作者が携帯する磁気カードの読み取りを行う磁気カードリーダが用いられてもよい。また、操作者は、ＩＤカードをカードリーダ５８３に読み取らせる代わりに、操作表示部５８２や別途設けられたキーボード等（図示せず）により操作者ＩＤやパスワードを入力し、この入力された操作者ＩＤやパスワードに基づいて認証部５８６が操作者の管理権限を認証するようになっていてもよい。また、認証部５８６は、操作者の指紋や網膜をチェックするような生体認証を行うようになっていてもよい。
【００７８】
また、制御部５８０にはプリンタ５８８が接続されており、このプリンタ５８８により、入金処理時の取引データや、売上入金機２２の締め処理や回収処理の際における各収納カセット５３８、５４０、５６８、５７０や紙葉類集積部５３２に収納された貨幣や商品券の在高等のデータ等の印字が行われるようになっている。
【００７９】
また、制御部５８０には通信部５９０が接続されており、この通信部５９０により、売上入金機２２の制御部５８０は上位装置等の外部装置に対して信号の送受信を行うことができるようになっている。具体的には、売上入金機２２の入金処理時の取引データが通信部５９０を介して外部装置に送信されたり、売上入金機２２の様々な設定情報（例えば、各収納カセット５３８、５４０、５６８、５７０や紙葉類集積部５３２と管理権限との関係のパターンに関する情報）等が通信部５９０により外部装置から受信されたりするようになっている。
【００８０】
また、図１０に示すように、制御部５８０にはカセット解錠機構６００が接続されており、制御部５８０からカセット解錠機構６００のロック解錠部６３０に指令信号が送られることにより、ロック解錠部６３０が制御部５８０により制御されるようになる。また、カセット解錠機構６００のＩＣリーダ６５０により読み取られた紙幣回収カセット２０７のＩＣタグ２０７ｃの情報は制御部５８０に送られるようになっている。
【００８１】
本実施の形態では、紙幣回収カセット２０７がカセット解錠機構６００のスライドベース部６１０に装填されたときに、制御部５８０は、ＩＣリーダ６５０により読み取られた紙幣回収カセット２０７のＩＣタグ２０７ｃの情報に基づいてロック解錠部６３０により紙幣回収カセット２０７を解錠させるよう当該ロック解錠部６３０の制御を行うようになっている。より詳細には、制御部５８０は、ＩＣリーダ６５０により読み取られたＩＣタグ２０７ｃの情報におけるレジ番号（言い換えると、紙幣回収カセット２０７が取り出された紙幣釣銭機２００が設置されたレジの識別番号）に基づいてロック解錠部６３０により紙幣回収カセット２０７を解錠させるよう当該ロック解錠部６３０の制御を行う。すなわち、ＩＣリーダ６５０により読み取られたレジ番号が、記憶部５８４に記憶された１または複数の所定番号に含まれる場合には、制御部５８０はロック解錠部６３０におけるカバー部６３２の規制を解除し、紙幣回収カセット２０７を奧側に押し込むことができるようになる。このことにより、紙幣回収カセット２０７を奧側に押し込む動作に連動してキー部６３４のキーが回動されて、紙幣回収カセット２０７のロック部のロックが解錠されるようになる。一方、ＩＣリーダ６５０により読み取られたレジ番号が、記憶部５８４に記憶された１または複数の所定番号に含まれない場合には、制御部５８０はロック解錠部６３０におけるカバー部６３２の規制を解除せず、紙幣回収カセット２０７を奧側に押し込むことができないようになるため、紙幣回収カセット２０７のロック部のロックが解錠されない。
【００８２】
ここで、記憶部５８４に記憶された所定番号について以下に説明する。店舗１０の営業時間後に締め処理を行う際に、紙幣釣銭機２００の筐体２１０から取り出された紙幣回収カセット２０７をバックヤード領域２０に運搬して売上入金機２２のカセット解錠機構６００により当該紙幣回収カセット２０７のロック部のロックを解錠した後にこの紙幣回収カセット２０７内の紙幣を売上入金機２２に投入するという一連の動作を各レジユニット１８において１回ずつ行う場合には、このような締め処理の開始時に、売上入金機２２の制御部５８０は各レジユニット１８に対応する全てのレジ番号を所定番号として記憶部５８４に記憶させる。そして、紙幣回収カセット２０７内の紙幣が売上入金機２２に入金されるという動作が行われるたびに、この紙幣回収カセット２０７に対応する紙幣釣銭機２００のレジ番号が記憶部５８４から消し込まれる。そして、記憶部５８４に記憶されたレジ番号が全て消し込まれると店舗１０における締め処理が完了する。このような処理を行うことにより、１回の締め処理において１つのレジユニット１８から紙幣回収カセット２０７による複数回の紙幣の回収処理が行われることを防止することができるようになる。
【００８３】
次に、このような構成からなるレジユニット１８や売上入金機２２の動作、具体的には紙幣回収カセット２０７によりレジユニット１８の紙幣釣銭機２００から紙幣を回収して売上入金機２２に入金する動作について図１１に示すフローチャートを用いて説明する。
【００８４】
店舗１０の営業時間後に締め処理を行う際に、レジ担当者がＰＯＳレジスタ３００の操作部３０４により紙幣や硬貨の回収処理の指令を入力すると、硬貨収納部１０６に収納された硬貨が当該硬貨収納部１０６から繰り出されて出金搬送部１０８から図示しない硬貨回収袋に硬貨が送られて当該硬貨回収袋に収納されるとともに、紙幣収納部２０６に収納された紙幣が当該紙幣収納部２０６から繰り出されて紙幣回収カセット２０７に送られて当該紙幣回収カセット２０７に収納される（ＳＴＥＰ１）。また、この際に、紙幣釣銭機２００に設けられたＩＣリーダライタ２１８により、紙幣回収カセット２０７のＩＣタグ２０７ｃに、レジ番号、レジが設置された売り場名、店舗名、レジの担当者の識別番号、レジにおける売上金額、硬貨釣銭機１００や紙幣釣銭機２００の在高、売上日付、売上回収データ、売上回収日時等の様々な情報が書き込まれる（ＳＴＥＰ２）。
【００８５】
そして、レジ担当者は、紙幣回収カセット２０７を紙幣釣銭機２００の筐体２１０の内部から取り出し（ＳＴＥＰ３）、取り出された紙幣回収カセット２０７をフロント領域１２からバックヤード領域２０に運搬する。その後、レジ担当者は、図９（ａ）の矢印に示すように、紙幣釣銭機２００から取り出された紙幣回収カセット２０７を売上入金機２２のカセット解錠機構６００にセットする（ＳＴＥＰ４）。
【００８６】
また、図９（ｂ）に示すように、カセット解錠機構６００のスライドベース部６１０に紙幣回収カセット２０７が装填されると、この紙幣回収カセット２０７の底面に設けられたＩＣタグ２０７ｃの情報がＩＣリーダ６５０により読み取られる（ＳＴＥＰ５）。ＩＣリーダ６５０により読み取られた情報は制御部５８０に送られる。そして、制御部５８０は、ＩＣリーダ６５０により読み取られたＩＣタグ２０７ｃの情報におけるレジ番号に基づいてロック解錠部６３０により紙幣回収カセット２０７を解錠させるよう当該ロック解錠部６３０の制御を行う（ＳＴＥＰ６）。すなわち、ＩＣリーダ６５０により読み取られたレジ番号が、記憶部５８４に記憶された１または複数の所定番号に含まれる場合には、制御部５８０はロック解錠部６３０におけるカバー部６３２の規制を解除し、図９（ｂ）に示す状態から図９（ｃ）の矢印に示すように紙幣回収カセット２０７を奧側に押し込むことができるようになる。このことにより、紙幣回収カセット２０７を奧側に押し込む動作に連動してキー部６３４のキーが挿入および回動されて、紙幣回収カセット２０７のロック部のロックが解錠されるようになる。一方、ＩＣリーダ６５０により読み取られたレジ番号が、記憶部５８４に記憶された１または複数の所定番号に含まれない場合には、制御部５８０はロック解錠部６３０におけるカバー部６３２の規制を解除せず、紙幣回収カセット２０７を奧側に押し込むことができないようになるため、紙幣回収カセット２０７のロック部のロックが解錠されない。
【００８７】
紙幣回収カセット２０７のロック部のロックがロック解錠部６３０により解錠されると、レジ担当者は上方筐体部２０７ａを下方筐体部２０７ｂに対して上方に揺動し（図９（ｄ）参照）、紙幣回収カセット２０７内に収納された紙幣を取り出すことができるようになる。なお、カセット解錠機構６００において紙幣回収カセット２０７が奧側に押し込まれてロック部のロックが解錠されると、表示部６４０には例えば「解錠中」という文字が表示される。
【００８８】
次に、レジ担当者は、紙幣回収カセット２０７から取り出された紙幣を売上入金機２２の紙葉類処理機構５２０における紙葉類投入部５２２に投入し、当該紙幣の入金処理を行う（ＳＴＥＰ７）。紙葉類投入部５２２に投入された紙幣は紙葉類識別部５２６により識別された後、第１の紙葉類一時保留部５３４や第２の紙葉類一時保留部５３６に一時的に保留される。そして、紙葉類投入部５２２に投入された紙幣が全て第１の紙葉類一時保留部５３４や第２の紙葉類一時保留部５３６等に送られると、制御部５８０は、ＩＣリーダ６５０により読み取られた紙幣回収カセット２０７のＩＣタグ２０７ｃの情報における売上回収データ（すなわち、紙幣回収カセット２０７に収納されていた紙幣の金額や金種毎の枚数）と、紙葉類投入部５２２により機体内に投入され紙葉類識別部５２６により識別された識別結果である入金データとの照合を行う（ＳＴＥＰ８）。そして、売上回収データと入金データとの間に差異がなければ、操作表示部５８２によってレジ担当者により入金確定の指令が与えられると、第１の紙葉類一時保留部５３４や第２の紙葉類一時保留部５３６に一時的に保留されている紙幣が第１の紙葉類収納カセット５３８や第２の紙葉類収納カセット５４０に収納されるようになる。一方、売上回収データと入金データとの間に差異がある場合には、操作表示部５８２に警告表示がなされる等により、操作者に報知が行われるようになる（ＳＴＥＰ８）。なお、この場合には、保留貨幣を返却させて入金処理を取り止めたり、売上回収データや入金データが記載されたレシートを印刷した上で入金処理を完了したりすることになる。
【００８９】
以上のような構成からなる本実施の形態の売上入金機２２（貨幣処理装置）によれば、制御部５８０は、ＩＣリーダ６５０により読み取られたＩＣタグ２０７ｃの情報に基づいてロック解錠部６３０により紙幣回収カセット２０７を解錠させるよう当該ロック解錠部６３０の制御を行うようになっている。この場合には、紙幣回収カセット２０７がバックヤード領域２０に持ち込まれたときに、この紙幣回収カセット２０７に設けられたＩＣタグ２０７ｃからＩＣリーダ６５０により情報の読み取りを行い、読み取られた情報に基づいてロック解錠部６３０により紙幣回収カセット２０７の解錠を行うことにより、レジ担当者は現金管理者を待たなくても紙幣回収カセット２０７から紙幣を取り出すことができるため作業時間を短縮することができ、より一層の業務効率化を図ることができるようになる。
【００９０】
また、紙幣回収カセット２０７に設けられたＩＣタグ２０７ｃにより情報を保持させることによって当該情報の伝達にＰＯＳレジスタ３００を介さないようにした場合には、ＰＯＳレジスタ３００の機種や通信体系に影響されることがなくなり、ＰＯＳレジスタ３００の機種やメーカー毎のインターフェースの開発が不要となり、開発コストや開発期間の低減を図ることができる。
【００９１】
また、本実施の形態の売上入金機２２においては、前述したように、ＩＣタグ２０７ｃにより保持される情報は、紙幣回収カセット２０７が取り出された紙幣釣銭機２００が設置されたレジ番号（すなわち、レジを特定可能な個別情報）を含むようになっており、制御部５８０は、ＩＣリーダ６５０により読み取られたＩＣタグ２０７ｃの情報におけるレジ番号に基づいてロック解錠部６３０により紙幣回収カセット２０７の解錠を行うよう当該ロック解錠部６３０の制御を行うようになっている。このように、紙幣回収カセット２０７に設けられたＩＣタグ２０７ｃからＩＣリーダ６５０によりレジ番号に関する情報の読み取りを行うことによって、制御部５８０は、ＩＣリーダ６５０により読み取られたレジ番号が、記憶部５８４に記憶された１または複数の所定番号に含まれるか否かを確認することができるようになり、ＩＣリーダ６５０により読み取られたレジ番号が、記憶部５８４に記憶された１または複数の所定番号に含まれる場合にのみ、ロック解錠部６３０により紙幣回収カセット２０７を解錠させるようにすることができるようになる。
【００９２】
また、本実施の形態の売上入金機２２においては、前述したように、ＩＣタグ２０７ｃにより保持される情報は、レジ担当者の識別番号、レジにおける売上金額およびレジに設置された硬貨釣銭機１００や紙幣釣銭機２００の在高のうち少なくとも一つのものを更に含んでいてもよい。この場合には、レジユニット１８のＰＯＳレジスタ３００と売上入金機２２とを通信可能に接続しなくても、レジユニット１８における上述の様々な情報を売上入金機２２は自動的に取得することができるようになる。また、このような貨幣の処理方法では、レジ担当者の識別番号、レジにおける売上金額およびレジに設置された硬貨釣銭機１００や紙幣釣銭機２００の在高等の情報をレジ担当者が手入力で売上入金機２２に入力する必要がなくなり、入力間違いの発生を防止して現金管理の厳正化を図ることができるようになる。
【００９３】
また、本実施の形態の売上入金機２２においては、前述したように、ＩＣタグ２０７ｃにより保持される情報は、紙幣回収カセット２０７に収納されている紙幣の金額や金種毎の枚数に係るデータである売上回収データを更に含んでいてもよい。この場合には、制御部５８０は、ＩＣリーダ６５０により読み取られたＩＣタグ２０７ｃの情報における売上回収データと、売上入金機２２の機体内に投入された貨幣の金額や金種毎の枚数に係る入金データとの照合を行うことができるようになる。
【００９４】
また、前述したように、締め処理の開始時に、売上入金機２２の制御部５８０は各レジユニット１８に対応する全てのレジ番号を所定番号として記憶部５８４に記憶させておき、紙幣回収カセット２０７内の紙幣が売上入金機２２に入金されるという動作が行われるたびに、この紙幣回収カセット２０７に対応する紙幣釣銭機２００のレジ番号を記憶部５８４から消し込むことにより、どのレジで回収処理を既に終えているかを全てデータ管理することが可能となる。
【００９５】
また、本実施の形態の売上入金機２２においては、前述したように、ＩＣタグ２０７ｃは紙幣回収カセット２０７に取り付けられている。また、カセット解錠機構６００には、紙幣回収カセット２０７が装填される装填部としてスライドベース部６１０が設けられており、ＩＣタグ２０７ｃを読み取るためのＩＣリーダ６５０はこのスライドベース部６１０に設けられている。このことにより、紙幣回収カセット２０７がスライドベース部６１０に装填されたときに、ＩＣリーダ６５０はＩＣタグ２０７ｃの情報を読み取ることができるようになる。
【００９６】
なお、本実施の形態による売上入金機２２や当該売上入金機２２を含む貨幣処理システムは、上述したような態様に限定されることはなく、様々な変更を加えることができる。
【００９７】
上記の説明では、ＩＣタグ２０７ｃにより保持される情報は、紙幣回収カセット２０７が取り出された紙幣釣銭機２００が設置されたレジ番号（すなわち、レジを特定可能な個別情報）を含むようになっており、制御部５８０は、ＩＣリーダ６５０により読み取られたＩＣタグ２０７ｃの情報におけるレジ番号に基づいてロック解錠部６３０により紙幣回収カセット２０７の解錠を行うよう当該ロック解錠部６３０の制御を行う態様について述べたが、このような態様に限定されることはない。例えば、硬貨釣銭機１００や紙幣釣銭機２００からなる釣銭機が商業施設内のテナント店等に設置された場合には、レジ番号に代えて、当該テナント店を特定可能な店舗番号（すなわち、店舗を特定可能な個別情報）を用いてもよい。この場合には、ＩＣタグ２０７ｃにより保持される情報は、テナント店を特定可能な店舗番号を含むようになり、制御部５８０は、ＩＣリーダ６５０により読み取られたＩＣタグ２０７ｃの情報における店舗番号に基づいてロック解錠部６３０により紙幣回収カセット２０７の解錠を行うよう当該ロック解錠部６３０の制御を行うようになる。また、この場合には、ＩＣタグ２０７ｃにより保持される情報は、テナント店における担当者の識別番号、テナント店における売上金額およびテナント店に設置された硬貨釣銭機１００や紙幣釣銭機２００等の釣銭機の在高のうち少なくとも一つのものを更に含んでいてもよい。
【００９８】
また、制御部５８０がロック解錠部６３０の制御を行うにあたり、ＩＣリーダ６５０により読み取られたＩＣタグ２０７ｃの情報に基づいて当該ロック解錠部６３０により紙幣回収カセット２０７を解錠させるような態様に限定されることはない。すなわち、紙幣回収カセット２０７とともに運搬される情報保持具は、ＩＣタグ２０７ｃに限定されることはない。他の態様として、レジユニット１８において貨幣の回収処理を行う際に、ＰＯＳレジスタ３００の印字部３３８によりレシートの印字を行い、この際に、このレシートに、レジ番号、レジが設置された売り場名、店舗名、レジの担当者の識別番号、レジにおける売上金額、硬貨釣銭機１００や紙幣釣銭機２００の在高、売上日付、売上回収データ、売上回収日時等の情報に関する二次元バーコード等を印字するようにしてもよい。この場合には、紙幣釣銭機２００の筐体２１０内から取り出した紙幣回収カセット２０７をレジ担当者がフロント領域１２からバックヤード領域２０に運搬する際に、二次元バーコード等が印字されたレシートも紙幣回収カセット２０７と一緒に運搬する。そして、レジ担当者が紙幣回収カセット２０７をカセット解錠機構６００のスライドベース部６１０に装填した後、売上入金機２２に設けられたバーコードリーダ（図示せず）等により、レシートに印字された二次元バーコード等を読み取らせる。このことにより、二次元バーコード等により保持された情報が売上入金機２２の制御部５８０に送られるようになる。そして、制御部５８０は、当該バーコードリーダ等により読み取られたレシートの二次元バーコード等に保持されている情報（具体的には、レジ番号）に基づいてロック解錠部６３０により紙幣回収カセット２０７のロック部のロックを解錠させるよう当該ロック解錠部６３０の制御を行う。この場合でも、レジ担当者は現金管理者を待たなくても紙幣回収カセット２０７から紙幣を取り出すことができるため作業時間を短縮することができ、より一層の業務効率化を図ることができるようになる。
【００９９】
また、更に他の態様として、レジユニット１８において貨幣の回収処理を行う際に、このレジユニット１８のＰＯＳレジスタに設けられたカードリーダライタ３３６により、レジ担当者が携帯するＩＤカードに、レジ番号、レジが設置された売り場名、店舗名、レジの担当者の識別番号、レジにおける売上金額、硬貨釣銭機１００や紙幣釣銭機２００の在高、売上日付、売上回収データ、売上回収日時等の情報を書き込むようになっていてもよい。そして、紙幣釣銭機２００の筐体２１０内から取り出した紙幣回収カセット２０７をレジ担当者がフロント領域１２からバックヤード領域２０に運搬し、このレジ担当者が紙幣回収カセット２０７をカセット解錠機構６００のスライドベース部６１０に装填した後、当該レジ担当者が携帯するＩＤカードを売上入金機２２のカードリーダ５８３により読み取らせることにより、ＩＤカードに記憶された情報が売上入金機２２の制御部５８０に送られるようになる。そして、制御部５８０は、カードリーダ５８３により読み取られたレジ担当者のＩＤカードに保持されている情報（具体的には、レジ番号）に基づいてロック解錠部６３０により紙幣回収カセット２０７のロック部のロックを解錠させるよう当該ロック解錠部６３０の制御を行う。この場合でも、レジ担当者は現金管理者を待たなくても紙幣回収カセット２０７から紙幣を取り出すことができるため作業時間を短縮することができ、より一層の業務効率化を図ることができるようになる。また、レジユニット１８において貨幣の回収処理を行う際に、操作者が携帯するＩＤカードに売上回収データを書き込んだ場合には、売上入金機２２においてレジ担当者が紙幣回収カセット２０７から取り出された紙幣を当該売上入金機２２に入金した後、制御部５８０は、カードリーダ５８３により読み取られたＩＤカードの売上回収データと、紙葉類投入部５２２により機体内に投入され紙葉類識別部５２６により識別された識別結果である入金データとの照合を行うようになる。そして、売上回収データと入金データとの間に差異がある場合には、操作表示部５８２に警告表示がなされる等により、操作者に報知が行われるようになる。
【０１００】
また、売上入金機２２は図５や図６に示すような構成のものに限定されることはない。変形例に係る売上入金機として、カセット解錠機構を備えているものの、このカセット解錠機構により解錠が行われた紙幣回収カセット内の紙幣が自動的に紙葉類処理機構に投入されて紙葉類収納カセットに収納されるような構成のものが用いられてもよい。この場合は、カセット解錠機構により解錠が行われた紙幣回収カセット内の紙幣がレジ担当者の手に触れることがないため、より一層防盗性を向上させることができ、現金管理の厳正化を図ることができるようになる。
【０１０１】
また、バックヤード領域２０に売上入金機２２を設置する代わりに、貨幣の入金処理および出金処理を行う入出金機を設置し、レジユニット１８の硬貨釣銭機１００や紙幣釣銭機２００で用いられる釣銭準備金としての貨幣がこの入出金機から出金されるようになっていてもよい。この場合には、紙幣回収カセット２０７に設けられたＩＣタグ２０７ｃに硬貨釣銭機１００や紙幣釣銭機２００の在高を書き込み、バックヤード領域２０に設置された入出金機のＩＣリーダ（図示せず）によりこのＩＣタグ２０７ｃの情報を読み取ることにより、入出金機において硬貨釣銭機１００や紙幣釣銭機２００における釣銭の不足金額を取得することができるようになるため、当該入出金機においてこの不足金額分の貨幣を釣銭準備金として自動的に出金させることができるようになる。
【０１０２】
また、売上入金機２２のカセット解錠機構６００により解錠される貨幣収納カセットは、紙幣を収納する紙幣回収カセット２０７に限定されることはない。売上入金機２２のカセット解錠機構６００により解錠される貨幣収納カセットとして、硬貨を収納するものや、硬貨および紙幣を混合状態で収納するもの、貨幣以外の有価媒体（例えば商品券）を収納するもの等を用いてもよい。
【０１０３】
また、更なる変形例に係る貨幣処理システムでは、フロント領域１２の精算所１６に設置されたＰＯＳレジスタ３００と、バックヤード領域２０に設けられた売上入金機２２とをオンラインにより通信可能に接続し、レジにおける売上日付、売上回収データ、売上回収日時等の情報をＰＯＳレジスタ３００から売上入金機２２に送信することができるようになっていてもよい。この場合でも、レジ担当者がＰＯＳレジスタ３００の操作部３０４により紙幣や硬貨の回収処理の指令を入力した際に、紙幣釣銭機２００に設けられたＩＣリーダライタ２１８により、レジ番号、レジが設置された売り場名、店舗名、レジの担当者の識別番号等の情報が紙幣回収カセット２０７のＩＣタグ２０７ｃに書き込まれるようになる。そして、売上入金機２２の制御部５８０により、ＩＣリーダ６５０により読み取られたＩＣタグ２０７ｃの情報（具体的には、レジ番号）に基づいてロック解錠部６３０により紙幣回収カセット２０７を解錠させるよう当該ロック解錠部６３０の制御を行うようにする。このことにより、紙幣回収カセット２０７がバックヤード領域２０に持ち込まれたときに、この紙幣回収カセット２０７に設けられたＩＣタグ２０７ｃからＩＣリーダ６５０により情報の読み取りを行い、読み取られた情報に基づいてロック解錠部６３０により紙幣回収カセット２０７の解錠を行うことにより、レジ担当者は現金管理者を待たなくても紙幣回収カセット２０７から貨幣を取り出すことができるため作業時間を短縮することができ、より一層の業務効率化を図ることができるようになる。また、制御部５８０は、ＰＯＳレジスタ３００からオンラインで送信された売上回収データと、紙葉類投入部５２２により機体内に投入され紙葉類識別部５２６により識別された識別結果である入金データとの照合を行い、両者の間に差異がある場合には、操作表示部５８２に警告表示がなされる等により、操作者に報知が行われるようになる。
【０１０４】
また、紙幣回収カセット２０７のロック部の解錠を行うカセット解錠機構として、図７および図９に示すような構成のカセット解錠機構６００の代わりに、図１２乃至図１７に示すようなカセット解錠機構７００を用いてもよい。ここで、図１２は、変形例に係るカセット解錠機構７００の構成を示す斜視図であって、紙幣回収カセット２０７がセットされる前の状態を示す図であり、図１３は、図１２に示すカセット解錠機構７００において、紙幣回収カセット２０７（図１３において二点鎖線で表示）がスライドベース部７１０にセットされてロック解錠部７３０側に押し込まれたときの状態を示す図である。また、図１４は、図１２や図１３に示すカセット解錠機構７００の上面図であり、図１５は、図１２乃至図１４に示すカセット解錠機構７００に装填されるべき紙幣回収カセット２０７を底面側から見たときの構成を示す斜視図である。また、図１６は、図１２乃至図１４に示すカセット解錠機構７００に紙幣回収カセット２０７が装填されたときの構成を概略的に示す概略構成図であり、図１７は、図１２乃至図１４に示すカセット解錠機構７００の構成を概略的に示す側面図である。図１２乃至図１７に示すようなカセット解錠機構７００は、紙幣回収カセット２０７を装填することができ、当該紙幣回収カセット２０７を奥側に押し込むことができるスライドベース部７１０と、スライドベース部７１０に装填された紙幣回収カセット２０７のロック部を解錠するためのロック解錠部７３０とを有している。また、スライドベース部７１０の上面にはＩＣリーダ（図示せず）が設けられており、このＩＣリーダにより、スライドベース部７１０に装填された紙幣回収カセット２０７の底面に取り付けられているＩＣタグ２０７ｃに記憶された情報が読み取られるようになっている。
【０１０５】
図１２乃至図１４および図１６に示すように、スライドベース部７１０には左右一対の案内部材７１２が立設されており、紙幣回収カセット２０７はこれらの一対の案内部材７１２の間にセットされるようになっている。また、図１２乃至図１４および図１６に示すように、スライドベース部７１０において紙幣回収カセット２０７が載置される載置面（図１２乃至図１４において参照符号７１０ａで表示）から上方に位置決めピン７１４が突出している。このような位置決めピン７１４は、スライドベース部７１０に紙幣回収カセット２０７が装填されたときにこの紙幣回収カセット２０７の底面に形成された長穴２０７ｄ（後述）の中に入り込むことができるような大きさとなっている。
【０１０６】
ロック解錠部７３０は、紙幣回収カセット２０７の押し込みを規制したりその規制を解除したりすることができ、スライド可能なカバー部７３２と、カバー部７３２内に配設され、キー７３４ａが先端に設けられたキー部７３４とを有している。このようなロック解錠部７３０では、紙幣回収カセット２０７を奧側に押し込む動作に連動してキー部７３４のキー７３４ａがこの紙幣回収カセット２０７のキー穴２０７ｅ（後述）に入り込んだ後に回動し（図１３参照）、このことにより紙幣回収カセット２０７のロック部のロックが解錠されるようになっている。
【０１０７】
図１５に示すように、紙幣回収カセット２０７の底面には貫通穴としての長穴２０７ｄが設けられている。より詳細には、紙幣回収カセット２０７が紙幣釣銭機２００に装填されているときに当該紙幣釣銭機２００側に設けられた光センサとしての残留検知センサにより紙幣回収カセット２０７に紙幣が残留しているか否かを検知する際に、この残留検知センサの光軸が長穴２０７ｄを通過するようになっている。図１２乃至図１７に示すカセット解錠機構７００により紙幣回収カセット２０７の解錠を行う際には、スライドベース部７１０に紙幣回収カセット２０７がセットされたときにこの紙幣回収カセット２０７の底面に形成された長穴２０７ｄの中に位置決めピン７１４が嵌入するようになっている（図１６参照）。また、図１５において、カセット解錠機構７００のキー部７３４のキー７３４ａが挿入される紙幣回収カセット２０７のキー穴が参照符号２０７ｅで示されている。
【０１０８】
このようなカセット解錠機構７００の動作について簡単に説明する。レジ担当者が、紙幣釣銭機２００の筐体２１０の内部から取り出された紙幣回収カセット２０７をカセット解錠機構７００のスライドベース部７１０にセットした後、当該紙幣回収カセット２０７をカセット解錠機構７００のロック解錠部７３０側に押し込むと（図１３の矢印参照）、紙幣回収カセット２０７を奧側に押し込む動作に連動してキー部７３４のキー７３４ａが紙幣回収カセット２０７のキー穴２０７ｅに挿入され、このキー７３４ａが回動することにより紙幣回収カセット２０７のロック部のロックが解錠される。紙幣回収カセット２０７のロック部のロックが解錠されると、上方筐体部２０７ａが揺動軸を中心として上下方向に揺動することができるようになる。そして、上方筐体部２０７ａが上方に揺動されることで、紙幣回収カセット２０７に収納された紙幣を取り出すことができるようになる。
【０１０９】
もし仮に、カセット解錠機構７００のスライドベース部７１０における紙幣回収カセット２０７が載置される載置面７１０ａに位置決めピン７１４が設けられていなかった場合には、紙幣回収カセット２０７をスライドベース部７１０にセットしたときに当該紙幣回収カセット２０７が図１６における左右方向にずれてしまうおそれがあった。このような紙幣回収カセット２０７の左右方向のずれが生じたときには、紙幣回収カセット２０７をカセット解錠機構７００のロック解錠部７３０側に押し込んだ際にキー７３４ａが紙幣回収カセット２０７のキー穴２０７ｅの奥まで正確に入り込むことができず、キー７３４ａを回転させたときに当該キー７３４ａが折れ曲がってしまうおそれがある。これに対し、図１２乃至図１７に示すカセット解錠機構７００では、スライドベース部７１０に紙幣回収カセット２０７がセットされたときにこの紙幣回収カセット２０７の底面に形成された長穴２０７ｄの中に位置決めピン７１４が嵌入するため、当該紙幣回収カセット２０７が図１６における左右方向にずれてしまうことを防止することができる。このため、紙幣回収カセット２０７をカセット解錠機構７００のキー部７３４側に押し込んだときにキー７３４ａが紙幣回収カセット２０７のキー穴２０７ｅの奥まで正確に入り込むことができるようになり、このことによりキー７３４ａが折れ曲がってしまうことを防止することができる。
【０１１０】
また、図１２乃至図１７に示すカセット解錠機構７００では、キー部７３４に対する紙幣回収カセット２０７の押し込み力を緩和するためにダンパー機構（減衰機構）７３６およびバネ７３７が設けられている。図１７に示す例ではダンパー機構７３６として直動型のシリンダ構造を有するものが用いられており、キー部７３４に対する紙幣回収カセット２０７の押し込み力をダンパー機構７３６およびバネ７３７で受けることにより当該紙幣回収カセット２０７の押し込み速度を低下させることができる。
【０１１１】
もし仮に、カセット解錠機構７００のロック解錠部７３０にバネ７３７のみが設けられていた場合には、キー部７３４に対する紙幣回収カセット２０７の押し込み力が大きすぎるときにこの紙幣回収カセット２０７の押し込み力をバネ７３７だけでは十分に緩和することができず、紙幣回収カセット２０７の押し込み速度が大きくなってしまうことによりキー部７３４のキー７３４ａの回転が間に合わなくなってしまう。この場合には、キー７３４ａが紙幣回収カセット２０７のキー穴２０７ｅの奥まで正確に入り込むことができず、キー７３４ａを回転させたときに当該キー７３４ａが折れ曲がってしまうおそれがある。これに対し、カセット解錠機構７００のロック解錠部７３０にバネ７３７のみならずダンパー機構７３６を設置した場合には、キー部７３４に対する紙幣回収カセット２０７の押し込み力をダンパー機構７３６により十分に緩和することができ、紙幣回収カセット２０７の押し込み速度を低下させることができるためキー７３４ａを回転させたときに当該キー７３４ａが折れ曲がってしまうことを防止することができるようになる。
【０１１２】
なお、カセット解錠機構７００のロック解錠部７３０に設けられるダンパー機構は、図１７に示すような直動型のシリンダ構造を有するものに限定されることはない。カセット解錠機構７００に設けられるダンパー機構の変形例について図１８乃至図２０を用いて説明する。なお、図１８は、ロータリーダンパー７３８が設けられたカセット解錠機構７００の構成を示す側面図であり、図１９は、当該カセット解錠機構７００の内部構成を示す斜視図である。ここで、図１８（ａ）および図１９（ａ）は、スライドベース部７１０にセットされた紙幣回収カセット２０７がロック解錠部７３０側に押し込まれる前の状態を示す図であり、図１８（ｂ）および図１９（ｂ）は、スライドベース部７１０にセットされた紙幣回収カセット２０７がロック解錠部７３０側に押し込まれた後の状態を示す図である。また、図２０（ａ）は、ロータリーダンパー７３８の斜視図であり、図２０（ｂ）は、ロータリーダンパー７３８の側面図であり、図２０（ｃ）は、ロータリーダンパー７３８の正面図である。
【０１１３】
図１８乃至図２０に示すカセット解錠機構７００では、ダンパー機構としてロータリーダンパー７３８が用いられている。より詳細には、紙幣回収カセット２０７とともにスライド移動するロック解錠部７３０のカバー部７３２内にロータリーダンパー７３８が配設されるとともに、このロータリーダンパー７３８に対応するラックギア７３９が水平面に沿って延びるよう位置固定でカセット解錠機構７００の基体部分に配設されている。このようなロータリーダンパー７３８を有するカセット解錠機構７００では、ロック解錠部７３０のカバー部７３２内でロータリーダンパー７３８とラックギア７３９とが常に噛み合った状態となっている。そして、図１８（ａ）や図１９（ａ）に示すような、スライドベース部７１０にセットされた紙幣回収カセット２０７がロック解錠部７３０側に押し込まれる前の状態から、紙幣回収カセット２０７が手動でロック解錠部７３０側に押し込まれると、図１８（ｂ）や図１９（ｂ）に示すようにカバー部７３２の移動に伴ってロータリーダンパー７３８のギア部分がラックギア７３９上を走行する。この際に、ロータリーダンパー７３８では、ギア部分がラックギア７３９上を走行することによりローターが回転するが、当該ロータリーダンパー７３８内のオイルの粘性抵抗で回転運動に制動力（ブレーキ）がかけられることにより、キー部７３４に対する紙幣回収カセット２０７の押し込み力に負荷がかかり、当該押し込み力が緩和される。ダンパー機構として図１８乃至図２０に示すようなロータリーダンパー７３８を用いた場合でも、キー部７３４に対する紙幣回収カセット２０７の押し込み力をダンパー機構７３６により十分に緩和することができ、紙幣回収カセット２０７の押し込み速度を低下させることができるためキー７３４ａを回転させたときに当該キー７３４ａが折れ曲がってしまうことを防止することができるようになる。
【符号の説明】
【０１１４】
１０  店舗
１２  フロント領域
１４  商品棚
１６  精算所
１８  レジユニット
２０  バックヤード領域
２２  売上入金機
１００ 硬貨釣銭機
１０１ 硬貨識別部
１０３ 入金搬送部
１０４ 分岐部
１０６ 硬貨収納部
１０８ 出金搬送部
１１０ 筐体
１１２ 操作表示部
１１４ 硬貨受入部
１１６ 硬貨払出部
１２０ 上位制御部
１３０ 硬貨釣銭機制御部
１３２ インターフェース
１３４ 記憶部
２００ 紙幣釣銭機
２０１ 紙幣識別部
２０３ａ 周回搬送部
２０３ｂ 接続搬送部
２０４ 出金リジェクト部
２０６ 紙幣収納部
２０７ 紙幣回収カセット
２０７ａ  上方筐体部
２０７ｂ  下方筐体部
２０７ｃ  ＩＣタグ
２０７ｄ  長穴
２０７ｅ  キー穴
２１０ 筐体
２１４ 紙幣受入部
２１４ａ 紙幣受入口
２１６ 紙幣払出部
２１６ａ 紙幣取出口
２１８  ＩＣリーダライタ
２３０ 紙幣釣銭機制御部
２３２ インターフェース
３００ ＰＯＳレジスタ
３０２ 表示部
３０２ａ 追加の表示部
３０４ 操作部
３３０ ＰＯＳ制御部
３３２ インターフェース
３３４ 記憶部
３３６ カードリーダライタ
３３８ 印字部
４００ 店舗サーバ
５１２  筐体
５１４  下部扉
５２０  紙葉類処理機構
５２２  紙葉類投入部
５２３  紙葉類繰出部
５２４  紙葉類搬送部
５２６  紙葉類識別部
５２７  イメージセンサ
５２８  消し込み部
５３０  紙葉類リジェクト部
５３２  紙葉類集積部
５３３  シャッタ
５３４  第１の紙葉類一時保留部
５３６  第２の紙葉類一時保留部
５３８  第１の紙葉類収納カセット
５４０  第２の紙葉類収納カセット
５５０  硬貨処理機構
５５２  硬貨投入部
５５４  硬貨搬送部
５５６  硬貨識別部
５５８  硬貨リジェクトシュート
５６０  硬貨リジェクト部
５６１  第１の硬貨搬送シュート
５６２  第１の硬貨一時保留部
５６３  第２の硬貨搬送シュート
５６４  第２の硬貨一時保留部
５６６  硬貨返却箱
５６８  第１の硬貨収納カセット
５７０  第２の硬貨収納カセット
５７５  規制部
５８０  制御部
５８２  操作表示部
５８３  カードリーダ
５８４  記憶部
５８６  認証部
５８８  プリンタ
５９０  通信部
６００  カセット解錠機構
６１０  スライドベース部
６３０  ロック解錠部
６３２  カバー部
６３４  キー部
６４０  表示部
６５０  ＩＣリーダ
７００  カセット解錠機構
７１０  スライドベース部
７１０ａ  載置面
７１２  案内部材
７１４  位置決めピン
７３０  ロック解錠部
７３２  カバー部
７３４  キー部
７３４ａ  キー
７３６  ダンパー機構
７３７  バネ
７３８  ロータリーダンパー
７３９  ラックギア
【図１】
2015092326.tif 000003
【図２】
2015092326.tif 000004
【図３】
2015092326.tif 000005
【図４】
2015092326.tif 000006
【図５】
2015092326.tif 000007
【図６】
2015092326.tif 000008
【図７】
2015092326.tif 000009
【図８】
2015092326.tif 000010
【図９】
2015092326.tif 000011
【図１０】
2015092326.tif 000012
【図１１】
2015092326.tif 000013
【図１２】
2015092326.tif 000014
【図１３】
2015092326.tif 000015
【図１４】
2015092326.tif 000016
【図１５】
2015092326.tif 000017
【図１６】
2015092326.tif 000018
【図１７】
2015092326.tif 000019
【図１８】
2015092326.tif 000020
【図１９】
2015092326.tif 000021
【図２０】
2015092326.tif 000022